(57)【要約】【課題】特別役が内部的に当選しても、設定された所定ゲーム回数を消化するまでは、その内部的に成立した特別役の入賞を電気的な制御によって不可能とするような遊技性を備えたものにおける、遊技者とって遊戯状態が極端に酷になることを防止する。【解決手段】特別役が内部的に当選しても、設定された所定ゲーム回数を消化するまでは、その内部的に成立した特別役の入賞を電気的な制御によって不可能とするような遊技性を備える遊技機及び当該遊技機で実行可能なゲームプログラムに対し、前記所定ゲーム数を突然減らせることが可能な状態を作ることによって、特別役の入賞に応じた特別遊技状態以外の遊技状態ででも、高揚感を得ることが可能な遊技性を遊技者に提供可能な遊技機及び当該遊技機のシミュレーションゲームが可能なゲームプログラムを提供する。【選択図】          図５
2004180873.tif 000002
【特許請求の範囲】
【請求項１】
複数の変動図柄を設けた、複数のリールを個別に変動表示させ、各々の前記リールが停止表示されて、所定の有効ライン上の組み合わせが所定の組み合わせの場合に、予め内部的に成立している遊技者にとって有利な複数の特別役の入賞を実行して特別遊技状態に移行する制御手段を具備した遊技機であって、
前記複数のリールを変動表示し停止表示させることを１サイクルとするゲームを、予め設定された所定ゲーム回数消化すると、前記特別役の入賞となる前記所定の組み合わせで停止表示するリール変動停止制御機能と、
前記所定ゲーム回数を消化するまでに、当該所定ゲーム回数を減算する当該減算のための抽選処理を実行する機能と、
前記抽選処理の結果に応じた前記所定ゲーム回数の減算処理を実行する機能とを前記制御手段に備えてなることを特徴とする遊技機。
【請求項２】
前記制御手段は、表示手段と接続され、前記制御手段により減算のための抽選処理の結果で変化するゲーム回数を前記表示手段に表示することを特徴とする請求項１に記載の遊技機。
【請求項３】
複数の変動図柄を設けた複数のリールを個別に変動表示させ、各々の前記リールが停止表示されて、所定の有効ライン上の組み合わせが所定の組み合わせの場合に、予め内部的に成立している遊技者にとって有利な複数の特別役の入賞を実行して特別遊技状態に移行する制御が可能な遊技機のシミュレーションゲームが可能なゲームプログラムであって、
前記複数のリールを変動表示し停止表示させることを１サイクルとするゲームを、予め設定された所定ゲーム回数消化すると、前記特別役の入賞となる前記所定の組み合わせで停止表示するリール変動停止制御機能と、
前記所定ゲーム回数を消化するまでに、当該所定ゲーム回数を減算する当該減算のための抽選処理を実行する機能と、
前記抽選処理の結果に応じた前記所定ゲーム回数の減算処理を実行する機能とを備えてなることを特徴とする遊技機のシミュレーションゲームが可能なゲームプログラム。
【請求項４】
前記所定のゲーム回数の減算処理を実行した結果を表示する機能を具備することを特徴とする遊技機のシミュレーションゲームが可能なゲームプログラム。
【発明の詳細な説明】
【０００１】
【発明の属する技術分野】
この発明は、弾球遊技機やスロットマシン並びに、前記弾球遊技機やスロットマシンのシミュレーションゲームがゲーム装置で実行可能なゲームプログラムに関する。
【０００２】
詳しくは、内部的に成立した大当たり遊技数をストック可能な機能を有する弾球遊技機やスロットマシンにおいて、そのストックした大当たり遊技数をある特定の遊戯回数を消化した後でないと、前記ストックした大当たり遊技を実行されないような制御内容を含む弾球遊技機やスロットマシンの改良に関する。
【０００３】
【従来の技術】
従来のスロットマシンは、周囲に複数種類の図柄が表示された複数の回転リールを有し、遊技に際しては、遊技媒体であるメダルを投入し、スタートレバースイッチを操作することにより、前記回転リールが回転を開始し、その後各回転リールに対応するストップボタンスイッチを操作することにより回転リールを停止し、回転リールの有効ライン上に各種役に対応する図柄の組み合わせが停止表示したときに入賞が発生し、入賞した役に対応する枚数のメダルが払い出されるものである。そして、回転リールを回転（図柄を変動表示）させた後に、停止（図柄を停止表示）させる１サイクルを１ゲームとするものである。
【０００４】
前記各種役としては、特別役（ビッグボーナス役及びレギュラーボーナス役）、複数の小役及びリプレイ（再遊技）役が設けられており、特別役とは、その入賞により通常遊技状態から特別遊技状態（ビッグボーナスゲーム及びレギュラーボーナスゲーム）に移行させるものである。ビッグボーナスゲームとは、所定回数内の通常遊技を行うとともに、この通常遊技中に一定の条件下でボーナスゲームに移行するようにしたもので、前記ボーナスゲームとは、所定役が高確率で当選する遊技を一定条件下で所定回数行うものであり、所定の終了条件を満たすまで、前記通常遊技とボーナスゲームとを繰り返すようにしたものである。また、レギュラーボーナスゲームとは、前記ボーナスゲームを１セット行うものである。一方、小役とは、その入賞により予め定められた枚数のメダルが払い出されるもので、リプレイ役とは、当該遊技（ゲーム）での投入メダルの枚数（ベット枚数）を維持した再遊技が行えるようにしたものである。このように、特別役は、小役などに比べ一層大きな払出を遊技者に提供可能とするものである。
【０００５】
近年、出玉の波を大きくした、すなわちメダルを一時に大量に獲得できるようにしたスロットマシンが提供されるようになってきている。その代表的なものとして、役抽選で当選した特別役について、当選するたび順番に入賞可能として消化していくのではなく、ボーナス役が当選した後も特別役の抽選を継続し、複数の特別役の当選を持ち越す（ストックする）ことを可能としたスロットマシンが提案されている（特許文献１参照）。
【０００６】
このようなスロットマシンにおいては特別役の当選を持ち越すことができる期間（以下、ストックタイムという）は、抽選により、ゲーム回数として、例えば５ゲーム、１０ゲーム、５０ゲーム、１００ゲーム、５００ゲーム、１０００ゲームなどの中から抽選により選ばれ、この間役抽選で特別役が複数当選したとしても入賞を発生させずにストックしておき、ストックタイムの解除にともない（終了後に）、ストックされた特別役をまとめて（連続して）入賞可能とし、一時に大量のメダルの獲得を可能とするもので、遊技者の興趣性を高めたものである。そして、ストックタイム中には、新たにメダルを投入しなくても再遊技を実行できるリプレイ役を高確率で成立させるように内部的に確率テーブルを切り替えるように制御している。このようにストックタイム中に高確率でリプレイ役を内部的に成立させ、結果として、リプレイ役の入賞確率を高確率に制御するようにしているから、前記ストックタイム中のメダル消費は少なく済むようになっている。
【０００７】
前記「この間役抽選で特別役が複数当選したとしても入賞を発生させずにストック」するための方策としては、従来から存在する回転リールのリール制御を適用するのが一般的である。例えば、蹴飛ばし制御と言われるようなリール制御が採用される。勿論、このような制御がスロットマシンをシミュレーション可能なゲームに適用される場合には、当該ゲームのゲームプログラムに対して、擬似的な蹴飛ばし制御をゲームプログラムを稼動させているゲーム機のディスプレイ上で映像によって表現するようにする。
【０００８】
【特許文献１】
特開２００２−２１９２１４
【０００９】
【発明が解決しようとする課題】
しかるに、上記従来の特別役のストック機能は、前記スロットマシンがストックタイムに突入する前又は突入すると同時に唯一度の抽選によってストックタイムのゲーム回数が決定され、そのストックタイムのゲーム回数が５ゲーム、１０ゲーム、５０ゲーム、１００ゲーム、５００ゲーム、１０００ゲームの複数のゲーム回数に設定されること、及び、そのストックタイムが終了しなければ特別役に応じた特別遊技が実行（入賞）されない制御であるから次のような問題が発生する。
（１）ストックタイムが５ゲーム、１０ゲーム、５０ゲーム、１００ゲームの比較的少ないゲーム回数であれば良いが、５００ゲーム、１０００ゲームを設定されてしまった場合、長時間のゲームを強いられてしまい、なかなか特別役に応じて特別遊技に移行できないため、遊技者によっては、特別役をストックするだけで、ストックタイムの終了に伴う特別役に応じた特別遊技の放出まで至らずにゲームを辞めてしまうことになったり、これが連続して、５００ゲーム、１０００ゲームを設定されてしまった場合には遊技者にとって極めて酷な遊技状態となってしまう。一般的には、このような遊技状態を地獄モードと言っており、５ゲーム、１０ゲームといった比較的少ないゲーム回数のストックタイムが設定される遊技状態を天国モードと一般的な遊技者が称している。
【００１０】
このような遊技者にとって極端に酷な遊技状態に陥ることを低減し、一旦、上述したような地獄モードに陥った場合でも救済されるような遊技制御を実行することを第一の目的としている。
（２）また、上記第一の目的を解消する方策としては、予め設定されたストックゲームのゲーム回数をスロットマシンに設けられた演出表示用の液晶画面や前記回転リールの動きなどで告知することが考えられるが、このような告知を実行すると、一旦、１０００ゲームといったストックタイムのゲーム回数が設定された場合には、その消化すべきゲーム回数を遊技者が知ってしまうことになるため、誰もそのスロットマシンでゲームを行わないことになってしまう問題がある。したがって、従来は前述したようなストックタイムにおけるゲーム回数が内部的な抽選などによって予め設定されゲーム回数を遊技者に告知しないことが一般的であったため、上記第一の目的を解消することには異なるアプローチでの方策が必要なものであった。本発明は、前記ストックタイムのゲーム回数を遊技者に告知しても客離れとなる可能性を低減可能な遊技機を提供することを第二の目的とする。
【００１１】
この発明は、上記第一及び／又は第二の目的を解消可能なスロットマシンや弾球遊技機及びゲームプログラムを提供する。
【００１２】
【課題を解決するための手段】
以上のような問題を解消するため、この発明では、「内部的に特別役をストックし、複数のゲーム回数を消化することを契機として、前記特別役に入賞することが可能となる遊技制御を実行する制御手段を備えた遊技機であって、前記制御手段には、前記複数のゲーム回数を消化するまでに、当該ゲーム回数を減算する減算のための抽選処理を実行する機能を備えてなる」構成を採用している。
【００１３】
また、前記複数のゲーム回数は、抽選によって設定され、その設定されたゲーム回数はその抽選結果に応じて多い場合と少ない場合とが存在し、その設定されたゲーム回数を遊技者が認識できるように表示手段によって、前記設定されたゲーム回数を表示する構成を採用している。
【００１４】
この構成によれば、内部的に特別役をストックしている状態から、当該特別役に入賞させるまでの消化しなければならないゲーム回数を、従来のように只の一回の抽選などによって、その設定された複数のゲーム回数が普遍的に当該ゲーム回数の消化されるまで変更されることがないことによって生じる遊技者にとって酷な遊技状態が、場合によっては改善されるため、極端に遊技者に酷な遊技状態を連続して提供することを解消し得るといった利点がある。また、例えば、従来は設けることによって遊技者の遊技離れとなるため設けることができなかった、前記複数のゲーム回数をゲームが消化されることに応じて減少表示する表示手段を設けることが可能となり、その減少するゲーム回数や減少の仕方を遊技者が視認しつつ、ゲーム回数が消化された後に前記特別役に入賞することが可能となる事を楽しみに遊技を実行することができる。
【００１５】
より具体的には、本発明では次のような構成を採用する弾球遊技機やスロットマシンとしての遊技機、並びに、前記遊技機のシミュレーションゲームがゲーム装置で実行可能なゲームプログラムを提供する。
【００１６】
（１）  複数の変動図柄を設けた、複数のリールを個別に変動表示させ、各々の前記リールが停止表示されて、所定の有効ライン上の組み合わせが所定の組み合わせの場合に、予め内部的に成立している遊技者にとって有利な複数の特別役の入賞を実行して特別遊技状態に移行する制御手段を具備した遊技機であって、前記複数のリールを変動表示し停止表示させることを１サイクルとするゲームを、予め設定された所定ゲーム回数消化すると、前記特別役の入賞となる前記所定の組み合わせで停止表示するリール変動停止制御機能と、
前記所定ゲーム回数を消化するまでに、当該所定ゲーム回数を減算する当該減算のための抽選処理を実行する機能と、
前記抽選処理の結果に応じた前記所定ゲーム回数の減算処理を実行する機能とを前記制御手段に備えてなることを特徴とする遊技機。
【００１７】
この発明によれば、従来のように内部的な抽選によって成立している特別遊技を入賞可能となるまでの前記所定のゲーム回数が、一義的に一度の抽選などで決まってしまうことがなくなり、前記減算のための抽選処理の結果によって、一旦酷な遊技状態に陥ってしまった遊技者を救済することが可能となる。
【００１８】
また、複数の特別役の成立をストックする機能を有し、そのストックした特別役の数の放出時点での上限が定められており、前記ストックされている特別役の成立数が前記上限を超えている場合には、前記所定ゲーム回数が少なくなると極めて多数の特別役の入賞が連続して実行されるというような演出が可能となる。
【００１９】
前記リールとは、映像上に表現されるリールを含み、前記変動表示や停止表示は映像上での表現であっても良く、本発明に包含されるのは勿論である。
【００２０】
（２）  前記制御手段は、表示手段と接続され、前記制御手段により減算のための抽選処理の結果で変化するゲーム回数を前記表示手段に表示することを特徴としている。
【００２１】
この発明によれば、遊技者は特別役を放出する段階に至ることが可能となるカウントダウンを前記ゲーム回数として視認することが可能となり、前記特別遊技役に入賞していない通常遊技中であっても遊技者はそのカウントダウンを視認しつつゲームを楽しむことが可能となる。
【００２２】
（３）  複数の変動図柄を設けた複数のリールを個別に変動表示させ、各々の前記リールが停止表示されて、所定の有効ライン上の組み合わせが所定の組み合わせの場合に、予め内部的に成立している遊技者にとって有利な複数の特別役の入賞を実行して特別遊技状態に移行する制御が可能な遊技機のシミュレーションゲームが可能なゲームプログラムであって、
前記複数のリールを変動表示し停止表示させることを１サイクルとするゲームを、予め設定された所定ゲーム回数消化すると、前記特別役の入賞となる前記所定の組み合わせで停止表示するリール変動停止制御機能と、
前記所定ゲーム回数を消化するまでに、当該所定ゲーム回数を減算する当該減算のための抽選処理を実行する機能と、
前記抽選処理の結果に応じた前記所定ゲーム回数の減算処理を実行する機能とを備えてなることを特徴とする遊技機のシミュレーションゲームが可能なゲームプログラム。
【００２３】
この発明によれば、（１）の発明の効果と同様の効果を当該ゲームプログラムを実行したゲーム機で遊技者が享受することができる。
【００２４】
（４）  前記所定のゲーム回数の減算処理を実行した結果を表示する機能を具備することを特徴とする遊技機のシミュレーションゲームが可能なゲームプログラム。
【００２５】
この発明によれば、（２）の発明の効果と同様の効果を当該ゲームプログラムを実行したゲーム機で遊技者が享受することができる。
【００２６】
【発明の実施の形態】
以下、本発明を適用したスロットマシンの実施の形態について、図面を参照しつつ説明する。
【００２７】
図１は、本実施の形態によるスロットマシン１の外観を示す斜視図であり、図２は、このスロットマシンの制御の概略を示すブロック図である。
【００２８】
図１に示すように、スロットマシン１は、四角箱状の筐体２を有すし、この筐体２の前面には、遊技者側に向かって臨む前面パネル３が設けられ、前面パネル３の後方で筐体２内には、並列配置された３個の回転リール６１、６２、６３を含む回転リールユニット６０が設けられている。また、この前面パネル３のほぼ中央には、回転リール６１、６２、６３の各々には周囲を部分的に見ることができる図柄表示窓が形成されている。なお、回転リール６１、６２、６３は、リング状体であり、その周囲に複数種類の図柄が表示されており、ステッピングモータなどのモータが連結され、このモータの駆動により回転可能とされている。
【００２９】
回転リール６１、６２、６３の周囲に表示される図柄は、図柄表示窓から、上下に連結する３つの図柄が見えるようになっており、３×３の合計９個の図柄が見えるようになっている。
【００３０】
図柄としては、例えば、ベル、チェリー、スイカ、７、ＢＡＲ、リプレイなどが挙げられ、これら図柄は、各種役に対応するものである。また、役としては、例えば、特別役、複数種類の小役、リプレイ役などが挙げられる。そして、図柄表示窓に設定された入賞（有効）ライン上に停止表示された回転リール６１、６２、６３の図柄の３つの組み合わせが、予め定められた役の組み合わせと一致するときに、その役が入賞となり、メダルの払出が行われる。例えば、入賞ライン上に「ベル」−「ベル」−「ベル」が揃うとベル小役が入賞となり９枚のメダルが払い出される。また、「リプレイ」−「リプレイ」−「リプレイ」が揃うとリプレイ役が入賞となり、再遊技が可能となるといった具合である。なお、入賞ラインは、遊技に賭けるメダルの投入枚数（１〜３枚）により１〜５ラインが有効化されて設定される。
【００３１】
特別役とは、ビッグボーナス役やレギュラーボーナス役があり、その入賞により通常遊技状態から特別遊技状態（ビッグボーナスゲーム及びレギュラーボーナスゲーム）に移行させるものである。ビッグボーナスゲームとは、所定回数内の通常遊技を行うとともに、この通常遊技中に一定の条件下でボーナスゲームに移行するようにしたもので、前記ボーナスゲームとは、所定役が高確率で当選する遊技を一定条件下所定回数行うものであり、所定の終了条件を満たすまで、前記通常遊技とボーナスゲームとを繰り返すようにしたものである。また、レギュラーボーナスゲームとは、前記ボーナスゲームを１セット行うものである。一方、小役とは、その入賞により予め定められた枚数のメダルが払い出されるもので、リプレイ役とは、当該遊技（ゲーム）での投入メダルの枚数（ベット枚数）を維持した再遊技が行えるようにしたものである。
【００３２】
また、図柄表示窓の下方には、遊技媒体としてのメダルを投入するためのメダル投入口、貯留メダルを投入するためのベットスイッチ２０、貯留メダルを払い出すための清算スイッチ３０、回転リール６１、６２、６３の回転を開始させるためのスタートスイッチ４０、回転リール６１、６２、６３のそれぞれに対応しその回転を停止させるための３個のストップスイッチ５０（５１、５２、５３）などが設けられている。また、図柄表示窓の右方には、四角形状の液晶ディスプレイ９０が設けられ、図柄表示窓の上方には、四角形状の演出ランプ９５が設けられ、筐体２の前面下部には、スピーカ８０が設けられている。これら液晶ディスプレイ９０、演出ランプ９５、スピーカ８０は、遊技に関連した映像、光、音による演出が行われるものである。
【００３３】
また、スロットマシン１の内部には、図１には図示しないが、スロットマシン１の全体の動作を制御するための制御手段１００が内蔵されている。制御手段１００は、図示しないが、ＣＰＵを中心に構成され、ＲＡＭ、ＲＯＭ、及びＩ／Ｏなどを備えたコンピュータによって構成することができる。ここで、制御手段１００が備えるＣＰＵは、１個に限定されるものではない。すなわち、２個以上のＣＰＵで制御を行うように、制御手段１００を構成してもよい。また、ＣＰＵ、ＲＡＭ、ＲＯＭ、及びＩ／Ｏなどは、いわゆるワンチップで構成してもよい。
【００３４】
そして、この制御手段１００は、ＣＰＵがＲＯＭに記憶されたプログラムを実行することによって、図２に示すように、通常遊技制御手段１１０、特定遊技制御手段１２０、特別遊技制御手段１３０、役抽選手段１４０、図柄停止制御手段１５０、遊技状態抽選手段１６０、入賞判定手段１７０、ストック手段１８０、演出制御手段１９０、後述するストックタイムにおけるリプレイのゲーム回数を抽選により減算処理するゲーム回数減算処理手段２００などを構成する。
【００３５】
また、制御手段１００の入力側には、図２に示すように、投入スイッチ１０、ベットスイッチ２０、精算スイッチ３０、スタートスイッチ４０、ストップスイッチ５０などが電気的に接続されている。さらに、出力側には、回転リールユニット６０、ホッパーユニット７０、スピーカ８０、液晶ディスプレイ９０、演出ランプ９５などが電気的に接続されている。
【００３６】
投入スイッチ１０は、図示しないが、筐体２の内部に設けられているセンサースイッチであって、メダル投入口１１から投入されたメダルを検知するためのものである。ベットスイッチ２０は、貯留されているメダルの枚数を減じて、メダルの投入に代えるためのボタンスイッチである。精算スイッチ３０は、貯留されているメダルを払出すためのボタンスイッチである。スタートスイッチ４０は、メダルの投入、ベットスイッチ２０の操作又は再遊技のときに、前回の遊技から所定時間経過を条件として、回転リール６１、６２、６３の回転を開始させるためのレバースイッチである。
【００３７】
また、ストップスイッチ５０は、各回転リール６１、６２、６３の下方に１個ずつ設けられているボタンスイッチであって、各回転リール４０の回転を停止させるためのものである。具体的には、左側の回転リール６１の下方に設けられているストップスイッチ５１を操作すると、左側の回転リール６１の回転が停止し、中央の回転リール６２の下方に設けられているストップスイッチ５２を操作すると、中央の回転リール６２の回転が停止し、右側の回転リール６３の下方に設けられているストップスイッチ５３を操作すると、右側の回転リール６３の回転が停止するように形成されている。
【００３８】
回転リールユニット６０は、枠体に横並びに固定された３個のステッピングモータと、各ステッピングモータの出力軸に固定された３個の回転リール６１、６２、６３とから構成されている。また、各回転リールは、合成樹脂からなるリング状体の回転ドラムと、この回転ドラムの周囲に貼付されたリールテープとから構成され、リールテープの外周面には、複数種類の図柄が所定の配列で複数個（例えば２１個）付されている。更に、各回転リール６１、６２、６３の内側には、各回転リール６１、６２，６３を内側から照明するためのランプが設けられている。
【００３９】
図３に各回転リール６１、６２、６３の図柄配列の平面図を示す。なお、図３では、本実施の形態における特定小役としての「ベル」役の図柄配列のみが示されており、空欄の部分にも所定の図柄が表示されているものとする。
【００４０】
図３において、各回転リール６１、６２、６３には、４図柄又は５図柄間隔で「ベル」が配置されている。したがって、後述の図柄停止制御手段１５０によって、特定小役「ベル」が入賞しやすい図柄停止制御として、所定の位置におけるストップスイッチ５０が操作された瞬間の図柄から５図柄以内の図柄まで引き込み可能な高確率停止テーブル（引込み用停止テーブル）を用いることにより、ベル役が役抽選で当選した場合に必ず入賞させることができるのである。
【００４１】
ホッパーユニット７０は、図示しないが、筐体２の内部下方に設けられており、遊技の結果に基づいて、遊技者にメダルを払出すためのものである。スピーカ８０は、遊技者に当選又は入賞などを知らせるためのものである。具体的には、このスピーカ８０は、演出制御手段１９０の制御により、当選又は入賞時などに所定の音を発生させて、遊技者に当選又は入賞などを知らせるものである。
【００４２】
液晶ディスプレイ９０は、遊技者に遊技に関連した演出画像を表示する画像表示装置である。具体的には、この液晶ディスプレイ９０は、演出制御手段１９０の制御により、演出用画像を表示して、遊技者に遊技に関連した情報などを知らせるものである。なお、画像表示装置である液晶ディスプレイ９０に代えて、ＬＥＤドットマトリックスなどの表示装置を用いることもできる。
【００４３】
演出ランプ９５は、遊技者に当選又は入賞などを知らせるための照明装置である。具体的には、この演出ランプ９５は、演出制御手段１９０の制御により、当選又は入賞時などに点灯又は点滅して、遊技者に当選又は入賞などを知らせる。
【００４４】
通常遊技制御手段１１０は、通常遊技状態時の遊技を制御するためのものである。通常遊技状態とは、一般的な遊技状態をいう。通常遊技制御手段１１０は、遊技用のメダルの投入、ベットスイッチ２０の操作又は再遊技のときに、前回の遊技から所定時間経過を条件として、スタートスイッチ４０が操作されると、役の当選か否かの役抽選が行われ、ほぼ同時に、３個すべての回転リール６１、６２、６３の回転を開始し、その後に、３個のストップスイッチ５０のうちの１個が操作されると、当該ストップスイッチ５０に対応した回転リール６１、６２、６３の回転を停止させ、そして、３個のストップスイッチ５０がすべて操作されると、３個すべての回転リール６１、６２、６３の回転を停止させる。このとき、抽選結果がいずれかの役の当選となり、かつ、当該当選した役に対応した組み合わせで図柄が所定の位置（入賞ライン）に停止すると、入賞となり、ホッパーユニット７０を介して遊技者に対して入賞した役に対応する枚数のメダルが払出されるか、又は遊技者に対して所定の利益が付与される。なお、メダルの払出しに代えて、メダルの貯留（クレジット）が行われることもある。
【００４５】
この通常遊技状態では、複数種類の小役のうち、特定小役に対して、役抽選の当選確率が、他の小役よりも高く設定されている、すなわち特定小役の当選する割合が高く設定された判定テーブルを用いて役抽選が行われるのである。判定テーブルについては後述する。この特定小役として、例えば、ベル役の当選確率が８０〜９０％とされている。しかしながら、回転リール６１、６２、６３の停止制御において、役抽選で高確率で当選した特定小役が入賞しがたい制御を行うことにより、他の小役の入賞確率と同程度の入賞確率とされている。この入賞確率は、図柄を停止する際に用いられる停止テーブルによって調整することができ、停止テーブルについては後述する。
【００４６】
役抽選手段１４０は、各種役の当選か否かの抽選を行うためのものであり、乱数発生手段、乱数抽出手段、判定テーブル、抽選判定手段などを備え、例えば、特別役当選か、小役当選か、リプレイ役当選か、あるいはハズレかの抽選を行うように形成することができる。この役抽選手段は、例えば、制御手段を構成するコンピュータに所定のプログラムを実行させることによって形成することができる。
乱数発生手段は、当選か否かの抽選用の乱数を発生させるためのものであり、具体的には、当選か否かの抽選用の乱数を、所定の範囲内、例えば１０進数で０〜１２８の範囲内で発生させる。なお、乱数発生手段は、例えば、カウント値を１ずつ加算する乱数カウンタを用いた、いわゆるハード乱数を用いて形成できる。また、例えば、平均採中法で乱数を発生させる手段や、あるいは素数の加算によって乱数を発生させる手段、いわゆるソフト乱数を用いて形成することもできる。平均採中法で乱数を発生させる手段や、素数の加算によって乱数を発生させる手段は、例えば、制御手段１００を構成するコンピュータに所定のプログラムを実行させることによって形成することができる。
乱数抽出手段は、乱数発生手段が発生させた乱数を抽出するためのものであり、具体的には、乱数発生手段が発生させた乱数を、所定の条件、例えばスタートスイッチ４０の操作を契機に抽出するものである。なお、乱数発生手段は、カウント値を１ずつ加算する乱数カウンタなどを用いて形成されるため、乱数発生手段１１１が発生させる数値は、厳密には乱数ではないが、スタートスイッチ４０が操作されるタイミングで抽出されるようにすることにより、該タイミングがランダムであると考えられるため、乱数抽出手段が抽出する数値は、あたかも乱数のような分布を示し、実質的に乱数として取り扱うことができる。このことは、ソフト乱数を用いた場合についても同様である。
【００４７】
判定テーブルは、乱数発生手段が発生させる全範囲の乱数について、当選か否かをあらかじめ所定の割合で定めたものである。具体的には、この判定テーブルは、乱数発生手段が発生させる全範囲の乱数について、特別役（ビッグボーナス役、レギュラーボーナス役）当選にするか、小役（ベル役、スイカ役、チェリー役など）当選にするか、リプレイ役当選にするか、あるいはハズレにするかなどを、あらかじめ所定の割合で定めている。なお、本実施の形態では、通常遊技状態では、特定小役の当選割合が他の役よりも格段に高く（７０〜９０％）設定されるとともに、他の役についても抽選が行われる判定テーブルが用いられ、後述の特定遊技状態では、特定小役の当選割合が通常遊技状態時と同様高く設定され、特定小役が当選しないときは概ねリプレイ役が当選し、一部特別役が当選するように割合が定められた判定テーブルを用いている。したがって、特定遊技状態では、役抽選手段１４０は、通常遊技状態時の判定テーブルとは異なる判定テーブルを用いて役抽選を行う。
【００４８】
抽選判定手段は、乱数抽出手段が抽出した乱数と、判定テーブルとを照合して、当選か否かの抽選結果の判定を行うためのものであり、具体的には、乱数抽出手段が抽出した乱数と、判定テーブルとを照合して、抽選結果が、特別役当選か、いずれの小役当選か、リプレイ当選か、あるいはハズレかを判定する。
【００４９】
図柄停止制御手段１５０は、図柄の停止位置を決定するための停止テーブルを備える。この停止テーブルは、ストップスイッチ５０の操作のタイミングによって、どの図柄をどの位置に停止させるかということを、あらかじめ定めたものである。また、停止テーブルには、特定小役に対応する図柄を所定の位置（入賞ライン上）に停止させにくく定めた低確率停止テーブル、特定小役に対応する図柄を所定の位置（入賞ライン上）に停止させやすく定めた高確率停止テーブル、特別役に対応する図柄を所定の位置（入賞ライン上）に停止させにくく定めた特別役入賞低確率停止テーブル、特別役に対応する図柄を所定の位置（入賞ライン上）に停止させやすく定めた特別役入賞高確率停止テーブルなど複数備えられ、これら停止テーブルは、それぞれ、ストップスイッチ５０の操作のタイミングと図柄の停止位置との関係が異なるように定められている。すなわち、ストップスイッチ５０の操作のタイミングが同じでも、用いられる停止テーブルによって、図柄の停止位置が異なる場合があるようにしているのである。また、複数の停止テーブルの中からいずれの停止テーブルを用いるかについては、抽選結果や遊技状態等によって遊技毎に決定されることとなっている。本実施の形態では、通常遊技状態においては、低確率停止テーブル及び特別役入賞高確率停止テーブルを用いることにより特定小役を入賞させにくくするとともに、特別役については比較的入賞させやすい図柄停止制御を行うこととし、特定遊技状態においては、高確率停止テーブル及び特別役入賞低確率停止テーブルを用いることにより、特定小役を入賞させやすくするとともに役抽選で当選した特別役を持ち越してストックされやすくなる図柄停止制御を行うこととしている。
【００５０】
高確率停止テーブルとは、引込み用の停止テーブルであって、役抽選で何らかの役が当選した場合に、その図柄が表示窓の入賞ライン上からずれた位置のタイミングでストップスイッチ５０が操作された場合であっても、そのずれが５図柄の範囲内であるときには、すなわち５図柄の範囲内に当選役に対応する図柄が存在するときは、該図柄を入賞ライン上に停止させるように引き込み制御がはたらくように定められた停止テーブルのことである。
【００５１】
一方、低確率停止テーブルとは、低確率停止テーブルにおける引き込み制御が働かず、時にはタイミングよくストップスイッチ５０の操作を行ったとしても入賞を発生させないように、対応する図柄を入賞ラインからずれさせて停止させる蹴飛ばし制御が働くように定められた停止テーブルのことである。
【００５２】
入賞判定手段１７０は、役抽選で当選した役に対応した図柄が所定の位置（入賞ライン）に停止したときに入賞と判定するためのものであり、具体的には、役抽選の結果が特別役当選となったときに、特別役に対応した「７」や「ＢＡＲ」図柄が入賞ライン上に３個揃うと、特定役入賞と判定する。同様に、役抽選の結果がベル役の当選となったときに、ベル役に対応した「ベル」図柄が入賞ライン上に３個揃うと、ベル役入賞と判定する。また、リプレイ役などについても同様である。この入賞判定手段１７０は、例えば、制御手段１００を構成するコンピュータに所定のプログラムを実行させることによって形成することができる。
【００５３】
入賞には、所定枚数のメダルの払出しに係る小役入賞と、遊技者にとって一般的な遊技よりも有利な遊技である特別遊技への移行に係る特別役入賞と、再遊技の実行に係るリプレイ役入賞とがある。また、小役入賞において払出されるメダルの枚数としては、例えばスイカ役１５枚、ベル役９枚、チェリー役２枚などと設定することができる。
【００５４】
特定遊技制御手段１２０は、特定遊技状態時の遊技を制御するためのものである。特定遊技状態とは、特定小役の入賞確率が通常遊技状態に比して高い遊技状態をいい、例えば、ベル役の入賞確率が８０〜９０％となる、遊技者にとって有利な遊技状態である。この特定遊技状態では、役抽選における判定テーブルとして、特定小役が当選する割合が、例えば８０〜９０％程度と高く設定されているものを用いることができる。また、図柄停止制御手段で用いる停止テーブルとしては、役抽選で当選した特定小役の入賞が得られやすいものが使用される。このような役抽選及び図柄停止制御を用いることにより、上述のような特定小役が高確率で入賞できる状態とし得るのである。
【００５５】
また、特定遊技状態において、役抽選で特別役が当選した場合、該当選した特別役の入賞を持ち越す（ストックする）、すなわちストックタイムとしての要素を備えるようにしてもよい。この場合、ｎ（ｎ＝０，１，２，３，・・・）個の特別役が持ち越されているときに再び特別役が当選したときには、累積してｎ＋１個の特別役がストックされることになる。ストック機能は、図柄停止制御において、特別役を入賞させがたい制御、例えば特別役入賞低確率停止テーブルを用いることにより形成することができる。なお、当選した特別役は、入賞が引き当てられるまで持ち越されることとなっており、小役については、役抽選で小役当選となったゲーム（遊技）で小役入賞を引き当てられないと、次回のゲームには持ち越されないこととなっている。また、リプレイ役当選についても、小役当選と同様に、次回の遊技には持ち越されないこととなっている。
【００５６】
本発明において、特定遊技状態への移行は、遊技に関連した様々な条件を契機に行うようにするのが好ましく、例えば、通常遊技状態中に役抽選で特別役当選となると、特定遊技状態に移行するようにすることができる。また、遊技に関連した様々な条件を契機に抽選を行い、その結果により特定遊技状態に移行するようにしてもよい。特定遊技状態の期間は、例えばゲーム回数（遊技回数）等により規定することができ、ゲーム回数が消化されたときに通常遊技状態に戻るようにしてもよく、あるいは該ゲーム回数が消化される前であっても遊技に関連した所定の条件が満たされることにより終了して通常遊技状態に戻るようにしてもよい。
【００５７】
また、本発明において、特定遊技状態に特別役のストック機能を持たせたときに、該状態中に特別役がストックされた場合、通常遊技状態に戻ることにより、ストックされている特別役が入賞しやすい図柄停止制御が実行されることになるが、特定遊技状態が終了後、特別役が入賞して特別遊技が行われこの特別遊技が終了したことを契機に抽選を行い、該抽選の結果によって再び特定遊技状態に戻すようにしてもよい。
【００５８】
ストック手段１８０とは、役抽選で特別役が当選した場合に、特別役に対応した図柄組み合わせが入賞ライン上に停止しなかったときに当該特別役の当選を持ち越すための手段をいう。このストック手段１８０は、例えば、制御手段１００を構成するコンピュータに所定のプログラムを実行させることによって形成することができる。
【００５９】
特別遊技制御手段１３０とは、特別遊技を制御するための手段をいい、例えば、制御手段１００を構成するコンピュータに所定のプログラムを実行させることによって形成することができる。
【００６０】
特別遊技とは、特別役が入賞したときに実行される、遊技者にとって一般遊技よりも有利な遊技をいう。この特別遊技としては、例えば、スロットマシンの遊技において一般的に知られているビッグボーナスゲームやレギュラーボーナスゲームなどがある。例えば、役抽選でビッグボーナス役が当選しており、３個すべての回転リール６１、６２、６３の回転を停止させた際に、図柄「７」が入賞ラインに３つ揃った場合、ビッグボーナス役入賞となりメダル１５枚が払出された後、直ちにビッグボーナスゲームに移行されるのである。
【００６１】
遊技状態抽選手段１６０とは、遊技状態を特定遊技状態に移行させるか否かの抽選を行う手段をいい、例えば制御手段１００を構成するコンピュータに所定のプログラムを実行させることによって形成することができる。また、この遊技状態抽選手段１６０は、特定遊技状態に移行させるか否かの抽選とともに、特定遊技状態に移行する場合の期間を決定するものである。この期間としては、例えばゲーム回数として決定することができる。具体的には、５ゲームにするか、１０００ゲームにするかなどである。例えば、特定遊技状態０ゲーム又はハズレ（特定遊技状態に移行しない）、５ゲーム（５ゲームの間特定遊技状態に移行させる）、１０００ゲーム（１０００ゲームの間特定遊技状態に移行させる）、・・・などといったように、特定遊技状態として連続して継続させるゲーム回数を抽選によって決定し、特定遊技状態に移行させるか否か（「ゲーム数０」）及び移行させる場合の期間（Ｎゲーム数）を決定することができる。そして、この発明では、一旦抽選によって決定されたゲーム回数をその後のゲーム回数の一回ごとの消化に伴い減算処理する制御を、制御手段１００のゲーム回数減算処理手段２００が実行する。この減算処理に関する処理については、後に、図８，９に基づいて詳しく説明する。
【００６２】
なお、特定遊技状態とは、例えば、リプレイ役が高確率で成立するように制御手段１００が制御を実行するリプレイタイムや、ビックボーナスやレギュラーボーナスなどの特別役をストックするストックタイムなどがこれに相当し、大量のメダルの獲得が通常の遊技状態と比べて大となる特別遊技状態とは区別される。
【００６３】
この特定遊技状態へ移行させるか否かの抽選は、例えば役抽選で特別役が当選したことを契機に行ったり、特別遊技終了後にストックされた特別役が残存する場合に行ったりするようにできる。
【００６４】
演出制御手段１９０は、スピーカ８０、液晶ディスプレイ９０及び演出ランプ９５などを制御するためのものであり、具体的には、スピーカ８０から所定の音を発生させる演出、液晶ディスプレイ９０に所定の文字又は図形等を表示させる演出、あるいは演出ランプ９５を所定のパターンで点灯又は点滅させる演出などを実行するように形成されている。
【００６５】
液晶ディスプレイ９０における演出としては、本発明の特徴でもある、特定遊技状態に関する情報を遊技者に報知する演出画像が含まれ、例えば特定遊技状態に移行又は特定遊技状態中である旨を報知したり、特定遊技状態が継続されるか否かの演出画像を表示したりする。この特定遊技状態に関する演出は、遊技状態抽選手段による特定遊技状態へ移行させるか否かの抽選結果や特定遊技状態に移行したこと、特定遊技状態であることなどにより、所定の画像を表示することにより行われる。また、特定遊技状態の途中、所定のタイミングで、実際には特定遊技状態が引き続き実行されるのであるが、特定遊技状態が継続されるか否かを演出する画像を表示することにより遊技者にドキドキ感や期待感を持たせるようにしてもよい。
【００６６】
この演出制御手段１９０は、制御手段１００を構成するコンピュータにより所定のプログラムを実行させることにより形成することができるが、制御手段１００のコンピュータにおけるＣＰＵを２つに分け、遊技における抽選等の制御をメイン基板のＣＰＵで行い、演出については、メイン基板のＣＰＵの出力信号を受けてサブ基板のＣＰＵで実行するようにしてもよい。
【００６７】
ゲーム回数減算処理手段２００は、後述する図５のステップＳ２０において、抽選により決定された所定ゲーム数を、後の減算決定抽選によって減算するか否かと、減算する場合には、何ゲーム減算するかを決定する処理を実行するものである。この減算したゲーム数及び残りの前記所定ゲーム数を、図２における液晶ディスプレイ９０に遊技者が視認可能に数字で表示するようにしている。このように前記所定ゲーム数としての残りのゲーム数や減算処理された減算ゲーム数を、液晶ディスプレイ９０に表示させるようにすることによって、遊技者は、特別役に係わる特別遊技状態（ビックボーナスやレギュラーボーナス）に移行することがどの程度近づいているかを感覚的に認識することが出来るようになるため、遊技の面白さが向上するが、従来のように表示しない構成を採用することも可能であるのは勿論である。
【００６８】
次に、本実施の形態に係るスロットマシン１の動作の概略を、図４ないし図７に示すフローチャート図を用いて説明する。
【００６９】
図４ないし図７は、本実施の形態に係るスロットマシン１の動作の第１の実施例を示す概略フローチャートである。本実施例では、役抽選で特別役が当選することを契機に特定遊技状態に移行し、特定遊技状態は、その間にボーナス役が当選した場合にそのボーナス役が累積的にストックされるストック機能を付与した場合の一例について説明する。また、役抽選では、特定小役が他の小役などに比べて高確率（例えば９０％）で当選する判定テーブルを用いていおり、通常遊技状態においては、高確率で当選する特定小役が入賞し難い図柄停止制御が実行され、特定遊技状態においては、特定小役が入賞しやすい図柄停止制御が実行される場合について説明する。
【００７０】
さらに、本実施例では、特定遊技状態終了時に複数の特別役がストックされている場合には、特別役の入賞による特別遊技が終了した時点で再び特定遊技状態に戻るようにしている。
【００７１】
図４は、通常遊技状態中における遊技の流れを示している。まず、遊技用のメダルがメダル投入口１１に投入される、又はベットスイッチ２０が操作されてメダルが賭けられると（ステップＳ１０）、入賞ラインの設定が行われ、スタートスイッチ４０の操作が可能になる。そして、スタートスイッチ４０が操作されると（ステップＳ１１）、役抽選手段１４０により、役が当選か否かの抽選が行われる（ステップＳ１２）。そして、ステップＳ１３に進み、役抽選の結果特別役（ボーナス役）が当選したか否かの判定が行われる。ステップＳ１３において、ボーナス役が当選ではないと判断された場合には、ステップＳ１４に進む。
【００７２】
ステップＳ１４において、回転リール６１、６２、６３の回転が開始されると、ストップスイッチ５０の操作が可能になる。ストップスイッチ５０が操作されると（ステップＳ１５）、回転リールの回転が停止される（ステップＳ１６）。そして、３つの回転リール６１、６２、６３の全ての回転が停止すると、入賞判定手段１７０により、入賞か否かの判定が行われる（ステップＳ１７）。なお、入賞していると判定された場合には入賞役に応じた所定枚数のメダルが払出されるなどの所定の利益を遊技者に提供されることとなる。そして、ステップＳ１０に戻る。
【００７３】
一方、ステップＳ１３において、ボーナス役当選であると判断された場合には、図５に示すＢへと進む。図５は、特定遊技状態中の遊技の流れを示している。ここで、特定遊技状態とは、役抽選で当選したボーナス役をストックするとともに、特定子役としてのベル役が入賞しやすい遊技状態とし、この状態をスーパーストックタイム（以下ＳＳＴという）と称することとする。まず、遊技状態抽選手段１６０は、ＳＳＴ遊技の期間を定めるゲーム回数の抽選を行うとともに、リプレイ（再遊技）役の当選確率テーブルを低確率テーブルから高確率テーブルに切り替える（ステップＳ２０）。このステップＳ２０では、ゲーム回数として、例えば５、１０、５０、・・・、１０００ゲームの１６通りの中から抽選により決定されることとする。そして、抽選の結果当選したゲーム回数を特定遊技制御手段１２０の有するＳＳＴカウンタにセットしＳＳＴ遊技に移行され（ステップＳ２１）、演出制御手段１９０は、副表示手段である液晶ディスプレイ９０にＳＳＴ遊技開始を告げる画面を表示する（ステップＳ２２）。そして、当選しているボーナス役のストック数が１加算される（ステップＳ２３）。次いで、回転リール６１、６２、６３の回転が開始され（ステップＳ２４）、ストップスイッチ５０の操作が可能になる。ストップスイッチ５０が操作されると（ステップＳ２５）、回転リールの回転が停止される（ステップＳ２６）。そして、３つの回転リール６１、６２、６３の全ての回転が停止すると、入賞判定手段１７０により、入賞か否かの判定が行われる（ステップＳ２７）。なお、入賞していると判定された場合にはメダルの払出しなどの入賞役に応じた所定の処理が実行される。
【００７４】
ステップＳ２６において、図柄停止制御手段１５０は、当選したボーナス役を入賞させにくい、すなわち入賞ライン上にボーナス役に対応する図柄の組み合わせを出現させない制御が行われる。また、ＳＳＴ遊技中にベル役やリプレイ役が当選した場合には、入賞させやすい図柄停止制御を実行する。
【００７５】
次に、メダルがメダル投入口１１に投入される、又はベットスイッチ２０が操作されてメダルが賭けられると（ステップＳ２８）、入賞ラインの設定が行われ、スタートスイッチ４０の操作が可能になり、スタートスイッチ４０が操作されると（ステップＳ２９）、ＳＳＴカウンタの計数を１減算する（ステップＳ３０／所定ゲーム数の１消化処理）。そして、ステップＳ３１において、減算した所定のゲーム回数に応じた映像演出をその「１」減った所定のゲーム数に応じた映像データが抽出されて液晶ディスプレイ９０に動表示されるようにしている。
【００７６】
その後、ＳＳＴ遊技中であるか否かが判定される（ステップＳ３２）。すなわち、ＳＳＴカウンタが０であるか否かを判定するのである。ＳＳＴ遊技中である場合にはステップＳ３３に進み、役抽選手段１４０により、役が当選か否かの抽選が行われる（ステップＳ３３）。そして、ステップＳ３４に進み、役抽選の結果ボーナス役が当選したか否かの判定が行われる。ステップＳ３４において、ボーナス役が当選ではないと判断された場合には、後述する図８のゲーム回数の減算処理のステップＳ３５を経て、ステップＳ２４の回転リールの回転開始に戻る。一方、ステップＳ３５で、ボーナス役が当選していると判定された場合には、後述するゲーム回数の減算処理のステップＳ３５を経て、ステップＳ２３のボーナス役のストック数の加算に戻る。上記減算処理のステップＳ３５は、図５の一点鎖線で示すステップＳ３６のように、ステップＳ３２の前のステップとして挿入されて制御プログラムを構成しても良いが、この実施の形態では、高確率にリプレイ役が揃うＳＳＴタイムが終了したかどうかを判定した後に、減算処理のステップＳ３５の処理を実行する関係から、減算処理した結果のゲーム数が１以下とならないように減算処理手段２００によって減算のための抽選処理が実行されるようにしている。
【００７７】
また、ステップＳ３２において、ＳＳＴ遊技が終了した場合、すなわちＳＳＴカウンタが０である場合には、図６のＣに進む。
【００７８】
図６は、ＳＳＴ遊技終了後の遊技の流れを示している。ＳＳＴ遊技が終了すると、通常遊技状態に移行され、ストックされているボーナス役の放出（入賞）がしやすい状態になる。すなわち、図柄停止手段１５０において、特別役を入賞させやすく定めた特別役入賞高確率停止テーブルを用いるように切り換えられるのである。一方、リプレイ役を含む特定小役については、ＳＳＴ遊技状態時や通常遊技状態に比べて、入賞させにくく定めた低確率停止テーブルに切り換えられるのである。ステップＳ４０において、役抽選手段１４０により、役の抽選が行われる。そして、ステップＳ４１に進み、役抽選の結果ボーナス役が当選したか否かの判断が行われる。ボーナス役が当選したときはボーナス役のストック数を１加算（ステップＳ４２）した後、ステップＳ４３に進む。一方、ステップＳ４１でボーナス役が当選していないときは、ボーナス役のストック数が加算されることなくステップＳ４３に進む。
【００７９】
次に、回転リール６１、６２、６３の回転が開始されると（ステップＳ４３）、ストップスイッチ５０の操作が可能になる。ストップスイッチ５０が操作されると（ステップＳ４４）、回転リールの回転が停止される（ステップＳ４５）。そして、３つの回転リール６１、６２、６３の全ての回転が停止すると、入賞判定手段１７０により、入賞か否かの判定が行われる（ステップＳ４６）。入賞判定の結果ボーナス役が入賞していないと判定された場合には（ステップＳ４７）、ステップＳ４８でメダルがメダル投入口１１に投入される、又はベットスイッチ２０が操作されてメダルが賭けられると、入賞ラインの設定が行われ、スタートスイッチ４０の操作が可能になり、スタートスイッチ４０が操作されると（ステップＳ４９）、ステップＳ４０の役抽選に戻る。なお、ステップＳ４６の入賞判定でボーナス役以外の役が入賞していると判定された場合にはメダルの払出しなどの入賞役に応じた所定の処理が実行される。
【００８０】
一方、ステップＳ４７でボーナス役が入賞していると判断された場合には、図７のＤに進む。図７は、ボーナス役が入賞した場合の遊技の流れを示している。まず、ボーナス役の入賞が発生すると、特別遊技であるボーナスゲームに移行する（ステップＳ５０）。そして、ボーナスゲームが終了すると（ステップＳ５１）、ボーナス役のストック数が１減算される（ステップＳ５２）。そして、ステップＳ５３において、ボーナス役のストックが残っているかを判定し（ステップＳ５３）、ストックがあれば、図５のＢに進み、ＳＳＴ遊技に戻ることになる。一方、ストックがない（ストック数＝０）の場合には、図４のＡに進み、通常遊技状態が継続される。
【００８１】
以上説明した実施の形態において、通常遊技状態及び特定遊技状態（ＳＳＴ遊技）において、役抽選の判定テーブルを固定し、図柄停止制御を切り替えることにより、通常遊技状態では入賞させにくかった特定小役（ベル役）を、ＳＳＴ遊技では入賞させやすくして、ベル役入賞を高確率で取得可能として遊技者がメダルの増加をはかるとともに、リプレイ役を当選及び入賞し易くしてメダルの減少を少なくすることができるようにしつつ、前記特別役（ボーナス役）のストックを可能としているが、ＳＳＴ遊技に移行することにより役抽選の判定テーブルを通常遊技状態で用いる判定テーブルよりもリプレイ役の当選する割合が高いものだけの方式を採用することもできる。
【００８２】
（減算処理）
図８、９に示すのは、減算処理と、減算処理の変形例である。図８の減算処理は、図５におけるステップＳ３５に相当し、図９の減算処理は、図５におけるステップＳ３６に相当する。
【００８３】
すなわち、図８の減算処理においては、ステップＳ３４でのボーナス役当選の判定処理が終了した後、当該ゲームが開始された後に１ゲーム数だけステップＳ３０で減算処理された所定のゲーム数を更に減算するかどうか、及び減算数を決定するための減算抽選処理を実行する（ステップＳ２５−１）。そして、その処理結果がＮの減算と定まった場合には、ゲーム消化に伴いステップＳ３０で減算された「ｎ−１」の所定ゲーム数から更にＮの減算を実行する（ステップＳ２５−２）。この時、ステップＳ２５−１において、「ｎ−１」の所定ゲーム数が１より小さい場合には、Ｓ２５−１の減算数Ｎを必ずゼロとして減算処理を実行するようにしている。そして、減算処理した所定ゲーム数は、数字として液晶ディスプレイ９０に表示され、遊技者に対して減算された所定ゲーム数を視認可能な状態にするようにしている。
【００８４】
また、図９の減算処理の変形例では、ＳＳＴ遊技が終了したかどうかの判定を実行する前に配置するようにしている。これによって、前述したように、「ステップＳ２５−１において、「ｎ−１」の所定ゲーム数が１より小さい場合には、Ｓ２５−１の減算数Ｎを必ずゼロとして減算処理を実行する」必要がなくなり、ステップＳ３６−１で抽選によって得られた減算数ＮをステップＳ３６−２でそのまま減算することが可能となる。そして、この減算された後の所定のゲーム数ｎは、液晶ディスプレイ９０に表示される。
【００８５】
【発明の効果】
以上説明したこの発明によれば、特別役が内部的に当選しても、設定されたゲーム回数を消化するまでは、その内部的に成立した特別役の入賞を電気的な制御によって不可能とするような遊技性を備える遊技機及び当該遊技機のシミュレーションゲームが可能なゲームプログラムにおける、遊技者によっては酷な遊技状態となってしまうといった問題を解消し、特別役の入賞後の特別遊技状態以外の遊技状態時においても前記所定ゲーム数を突然減らせることが可能な状態を作ることによって、高揚感が得ることが可能な遊技性を、遊技者に提供可能な遊技機及び当該遊技機のシミュレーションゲームが可能なゲームプログラムを提供することが可能となる。
【図面の簡単な説明】
【図１】本発明の実施の形態に係るスロットマシンの外観を示す斜視図である。
【図２】本発明の実施の形態に係るスロットマシンの構成の概略を示すブロック図である。
【図３】本発明の実施の形態に係る回転リールの図柄配列を示す平面図である。
【図４】本発明の実施の形態に係るスロットマシンの動作の概略の第１の実施例を示すフローチャート図である。
【図５】本発明の実施の形態に係るスロットマシンの動作の概略の第１の実施例を示すフローチャート図である。
【図６】本発明の実施の形態に係るスロットマシンの動作の概略の第１の実施例を示すフローチャート図である。
【図７】本発明の実施の形態に係るスロットマシンの動作の概略の第１の実施例を示すフローチャート図である。
【図８】本発明の実施の形態に係るスロットマシンの動作の概略の第１の実施例を示すフローチャート図である。
【図９】本発明の実施の形態に係るスロットマシンの動作の概略の第１の実施例を示すフローチャート図である。
【符号の説明】
１      スロットマシン
２      筺体
３      前面パネル
１０    投入スイッチ
２０    ベットスイッチ
３０    精算スイッチ
６０    回転リールユニット
６１，６２，６３    回転リール
９０    液晶ディスプレイ
１００  制御手段
１１０  通常遊技制御手段
１２０  特定遊技制御手段
１３０  特別遊技制御手段
１４０  役抽選手段
１５０  図柄停止制御手段
１６０  遊技状態抽選手段
１７０  入賞判定手段
１８０  ストック手段
１９０  演出制御手段
【図１】
2004180873.tif 000003
【図２】
2004180873.tif 000004
【図３】
2004180873.tif 000005
【図４】
2004180873.tif 000006
【図５】
2004180873.tif 000007
【図６】
2004180873.tif 000008
【図７】
2004180873.tif 000009
【図８】
2004180873.tif 000010
【図９】
2004180873.tif 000011